(57)【特許請求の範囲】
【請求項１】
浴室内にミストサウナ用の水を噴霧するミストノズルと、ミストノズルへの給水を行うミスト用給水管路と、ミストノズルに供給される水を熱源機からの温水により加熱するミスト用熱交換器とを備えると共に、ミスト運転開始時に前記ミスト用熱交換器からの温水戻り温度を監視し、この監視結果に基づき、温水戻り温度が所定温度以上であることを所定時間以上継続したことを判定した後にミスト噴霧を開始するように温水戻り温度監視制御を実行する温水戻り温度監視部とを備えたミスト噴霧装置であって、
ミスト噴霧装置が収納される機器ケーシングの空気吸込口から浴室内の空気を吸い込み、空気吹出口から空気を吹き出すための送風手段を設けると共に、前記ミスト用熱交換器から前記ミストノズルへのミスト用水の供給経路を、前記空気吸込口から前記空気吹出口に至る通風経路に配置されて前記送風手段の駆動時に浴室内の空気により冷却される冷却用給水管路により構成し、ミスト噴霧装置の運転開始時に前記温水戻り温度監視制御を実行した後に、前記ミスト用熱交換器への前記熱源機からの温水の供給を停止し且つ前記送風手段を駆動した状態で、ミスト用熱交換器からの非加熱のミスト用水を冷却用給水管路を経由してミストノズルから噴霧させる水ミスト運転を実行することを特徴とするミスト噴霧装置。
【請求項２】
前記ミスト用熱交換器から前記ミストノズルへのミスト用水の供給経路を、前記冷却用給水管路と、前記通風経路から熱的に遮蔽された位置に配置される非冷却用給水管路と、を並列接続することにより設け、前記冷却用給水管路と前記非冷却用給水管路とを選択自在としたことを特徴とする請求項１記載のミスト噴霧装置。
【請求項３】
前記ミスト用熱交換器から前記ミストノズルに供給されるミスト用水の温度を検出するミスト温度センサーを設け、水ミスト運転開始時には前記冷却用給水管路を選択し、運転開始から所定時間経過後にミスト温度センサーからの検出温度が予め定めた設定温度以下になった時点で前記冷却用給水管路から前記非冷却用給水管路に切り替えることを特徴とする請求項２記載のミスト噴霧装置。
【発明の詳細な説明】
【技術分野】
【０００１】
本発明は、ミスト噴霧装置に関し、詳しくはミスト用熱交換器の加熱殺菌を行い、その後、低温の水ミスト噴霧運転を行うミスト噴霧装置に関するものである。
【背景技術】
【０００２】
従来から、浴室内にミストサウナ用の水を噴霧するミストノズルと、ミストノズルに水を供給するミスト用給水管路と、ミスト用給水管路に配置されてミストノズルへのミスト用水の供給を行う給水手段と、ミストノズルに供給される水を熱源機からの温水により加熱するミスト用熱交換器とを備えたミスト噴霧装置が知られている。
【０００３】
また従来から、ミスト用熱交換器内にレジオネラ菌などの雑菌が繁殖している場合の対策として、ミスト用熱交換器とミストノズルとの間にノズル開閉弁を備え、ノズル開閉弁より上流側に排水管路を分岐させて排水弁を開閉させることで、ミスト噴霧装置を長期間使用しない場合であっても、ミスト運転開始時にミスト用給水管路内の残水がミストノズルから浴室内に噴出されるのを防止できるようにしたミスト噴霧装置が知られている（例えば、特許文献１参照）。
【０００４】
しかし、上記特許文献１の従来例では、ミスト用熱交換器内部の残水の排水操作が必要となるため、ミスト噴霧装置を浴室に設置する際に、残水を予備排水するための配管が必要となり、ミスト噴霧装置内部の配管を行う上で設計上の制約が生じるという問題があり、さらに無駄な水の廃棄を伴うという問題もある。
【０００５】
そこで他の従来例として、ミスト運転開始時に前記ミスト用熱交換器からの温水戻り温度を監視し、この監視結果に基づき、温水戻り温度が所定温度以上であることを所定時間以上継続したことを判定した後にミスト噴霧を開始するように温水戻り温度監視制御を実行する温水戻り温度監視部を備えたミスト噴霧装置が知られている（例えば特許文献２参照）。
【０００６】
上記特許文献２の従来例では、温水戻り温度監視制御の実行によりミスト噴霧を開始する前にミスト用熱交換器を所定温度以上、所定時間以上継続して加熱できるので、もしも、ミスト用熱交換器内にレジオネラ菌などの雑菌が繁殖していたとしても、その雑菌を死滅させることが可能となり、ミスト運転開始時に加熱殺菌が自動的に行われるので、上記特許文献１における不具合はない。
【先行技術文献】
【特許文献】
【０００７】
【特許文献１】特開２００５−２４１２２４号公報
【特許文献２】特開２００８−１１００２１号公報
【発明の概要】
【発明が解決しようとする課題】
【０００８】
ところで、最近、夏場などの気温が高い時候においては、ミスト用熱交換器で熱源機からの温水による加熱を行わずに、給水手段からの低温水をミストノズルから噴霧することで浴室内において涼を求める水ミスト運転を行いたいという要望が高まっている。
【０００９】
しかし、前記特許文献２においては、温水ミスト運転を行う場合はミスト運転開始時に加熱殺菌を行なっても特段の支障は生じないが、水ミスト運転を行う場合は、ミスト運転開始時に加熱殺菌を行ない、その後、熱源機からの温水の供給を停止しても、ミスト用熱交換器はしばらく高温状態にあるため、ミスト用熱交換器からの温水がミストノズルから浴室内に噴霧されてしまい、十分に冷却された水ミストが噴霧されるまで時間がかかるという不都合が生じる。
【００１０】
本発明は、上記の事情に鑑みてなされたものであって、その目的とするところは、水ミスト運転開始時にミスト用熱交換器の加熱殺菌のための温水戻り温度監視制御を実行した後に、ミスト用熱交換器からの温水が浴室内に噴霧されるのを防止できると共に、残水の排水操作が不要な排水レス仕様にできるミスト噴霧装置を提供するものである。
【課題を解決するための手段】
【００１１】
前記の課題を解決するために、本発明は、浴室１３内にミスト用水を噴霧するミストノズル１０と、ミストノズル１０への給水を行うミスト用給水管路２０と、ミストノズル１０に供給される水を熱源機１４からの温水により加熱するミスト用熱交換器１１とを備えると共に、ミスト運転開始時に前記ミスト用熱交換器１１からの温水戻り温度を監視し、この監視結果に基づき、温水戻り温度が所定温度以上であることを所定時間以上継続したことを判定した後にミスト噴霧を開始するように温水戻り温度監視制御を実行する温水戻り温度監視部６とを備えたミスト噴霧装置であって、ミスト噴霧装置３が収納される機器ケーシング２５の空気吸込口３３から浴室１３内の空気を吸い込み、空気吹出口３０から空気を吹き出すための送風手段を設けると共に、前記ミスト用熱交換器１１から前記ミストノズル１０へのミスト用水の供給経路を、前記空気吸込口３３から前記空気吹出口３０に至る通風経路に配置されて前記送風手段の駆動時に浴室１３内の空気により冷却される冷却用給水管路２０ｃにより構成し、ミスト噴霧装置３の運転開始時に前記温水戻り温度監視制御を実行した後に、前記ミスト用熱交換器１１への前記熱源機１４からの温水の供給を停止し且つ前記送風手段を駆動した状態で、ミスト用熱交換器１１からの非加熱のミスト用水を冷却用給水管路２０ｃを経由してミストノズル１０から噴霧させる水ミスト運転を実行することを特徴としている。
【００１２】
このような構成とすることで、水ミスト運転開始時にミスト用熱交換器１１内部の加熱殺菌のための温水戻り温度監視制御を実行した後に、ミスト用熱交換器１１からの温水を冷却用給水管路２０ｃを経由させることで浴室１３内の空気との熱交換により当該温水を冷却できるので、低温水としてミストノズル１０から噴霧できるようになる。しかも、加熱殺菌直後の温水を予備排水するための配管を別途設ける必要もなくなる。
【００１３】
前記ミスト用熱交換器１１から前記ミストノズル１０へのミスト用水の供給経路を、前記冷却用給水管路２０と、前記通風経路から熱的に遮蔽された位置に配置される非冷却用給水管路２０ｈと、を並列接続することにより設け、前記冷却用給水管路２０ｃと前記非冷却用給水管路２０ｈとを選択自在とするのが好ましい。この場合、冷却用給水管路２０ｃと非冷却用給水管路２０ｈとを選択することにより、送風手段による浴室１３内の空気とミスト用水との冷却のための熱交換が促進される水ミスト運転と、冷却は無用である場合に当該熱交換が抑制される温水ミスト運転または水ミスト運転とを適宜に切り替え可能となる。
【００１４】
前記ミスト用熱交換器１１から前記ミストノズル１０に供給されるミスト用水の温度を検出するミスト温度センサー１８を設け、水ミスト運転開始時には前記冷却用給水管路２０ｃを選択し、運転開始から所定時間経過後にミスト温度センサー１８からの検出温度が予め定めた設定温度以下になった時点で前記冷却用給水管路２０ｃから前記非冷却用給水管路２０ｈに切り替えるのが好ましい。この場合、水ミスト運転開始時に、温水戻り温度監視制御を実行した後に水ミスト噴霧を行う場合に、運転開始から所定時間を経過すると、前記ミスト用熱交換器１１からのミスト用水の温度より浴室１３内の温度の方が高い（暖かい）場合には、空気吸込口３３から吸い込まれる浴室１３内の暖かい空気により冷却用給水管路２０ｃが加熱されてしまい、冷却用給水管路２０ｃを通過するミスト用水の温度が上昇する可能性がある。そこで、運転開始時から所定時間を経過後に、ミスト温度センサー１８で検出されるミスト用水の温度が予め設定された設定温度以下になった時点で、冷却用給水管路２０ｃから非冷却用給水管路２０ｈに切り替えることで、浴室１３内の空気との熱交換が抑制されている非冷却用給水管路２０ｈを経由してミストノズル１０に供給されることとなり、浴室１３内の空気の温度に影響されることなく、水ミストの低温状態を維持できる。
【発明の効果】
【００１５】
本発明は、水ミスト運転開始時に温水戻り温度監視制御を実行した後に、加熱殺菌直後のミスト用熱交換器からの温水を浴室内の空気を利用して冷却することにより、水ミスト噴霧開始までに時間がかからず、特に夏場などの気温が高い時候において、涼を求める水ミスト運転を行いたいという要望に即座に応えられるものとなる。しかも加熱殺菌直後の温水を排出操作が不要な排水レス仕様となるから、ミスト噴霧装置の配管を行う上で設計上の制約がなく、排水配管を不要とし、さらに水の廃棄を伴わずに省資源化を図ることができるものである。
【００１６】
また本発明は、水ミスト運転や温水ミスト運転など、ミスト噴霧温度が異なる運転モードの切り替えに容易に対応できるものである。
【００１７】
また本発明は、水ミスト運転開始から所定時間経過後に、十分に温度が低下したミスト用水の温度が、空気吸込口から吸い込まれる浴室内の空気との熱交換により加熱されてしまうことによる温度上昇を防止できるものである。
【図面の簡単な説明】
【００１８】
【図１】本発明の一実施形態に用いるミストサウナ機能付き浴室暖房乾燥機の配管図である。
【図２】同上のミストサウナ機能付き浴室暖房乾燥機の側面断面図である。
【図３】同上の浴室暖房乾燥機本体の機器ケーシングのグリル板を取り外した状態の斜視図である。
【図４】同上の浴室の天井部にミストサウナ機能付き浴室暖房乾燥機を設置した場合の斜視図である。
【図５】同上の制御部の温水戻り温度監視部に関連するブロック図である。
【図６】同上の温水ミスト運転開始時に加熱殺菌を行う場合のシーケンスを説明するフローチャートである。
【図７】（ａ）は図６のステップｎ３に対応する弁開閉状態の説明図であり、（ｂ）は図６のステップｎ７に対応する弁開閉状態の説明図である。
【図８】同上の水ミスト運転開始時の加熱殺菌シーケンス及び水ミスト運転開始から所定時間経過後のミスト温度上昇防止動作を説明するフローチャートである。
【図９】（ａ）は図８のステップｎ４に対応する弁開閉状態の説明図であり、（ｂ）は図８のステップｎ８に対応する弁開閉状態の説明図である。
【図１０】（ａ）は図８のステップｎ１１に対応する弁開閉状態の説明図である。
【発明を実施するための形態】
【００１９】
以下、本発明の実施の形態について、図面を参照しながら説明する。
【００２０】
図１は本発明の一実施形態に用いるミストサウナ機能付き浴室暖房乾燥機１の配管図であり、図２は浴室暖房乾燥機１の側面断面図であり、図３は浴室暖房乾燥機本体２からグリル板２５ａを取り外した状態の斜視図であり、図４は浴室暖房乾燥機１を浴室１３の天井部に設置した状態の説明図である。
【００２１】
ミストサウナ機能付き浴室暖房乾燥機１は、浴室１３（図４）内に温風を供給する浴室暖房乾燥機本体２と、浴室１３内にミスト噴霧を行うミスト噴霧装置３とで構成されている。なお図４中の１５は浴室１３の外部に設置されるリモコン操作部であり、温水ミスト運転スイッチ、水ミスト運転スイッチ、暖房運転スイッチ、換気運転スイッチ、乾燥運転スイッチ、涼風運転スイッチ等が設けられている。
【００２２】
浴室暖房乾燥機本体２は、図１、図２に示すように、循環用ファン５と、循環用ファン５により通風される空気を熱源機１４（図４）から  供給される温水により加熱する暖房用熱交換器７と、暖房用熱交換器７への温水の供給量を調節する熱動弁８とを備えている。暖房用熱交換器７は、熱源機１４からの温水が循環する温水循環管路１６の途中に配置され、熱動弁８を開放することで、循環用ファン５からの風が暖房用熱交換器７により加熱されて、下方の空気吹出口３０から浴室１３内に供給されるようになっている。さらに温水循環管路１６の途中には、後述のミスト用熱交換器１１を加熱するためのミスト加熱用管路１９がバイパス接続されている。ミスト加熱用管路１９の上流端は温水循環管路１６の熱動弁８よりも上流位置に分岐接続され、ミスト加熱用管路１９の下流端は温水循環管路１６の暖房用熱交換器７よりも下流位置に合流している。図１中の９は浴室温度センサー、１７は温水往き温度センサー、２４はミストノズル１０の内部への雑菌の侵入防止のための逆止弁、２６は換気用ファンであり、図２中の２７は空気吸込口３３に設けられるグリル板、２８は空気吹出口３０に設けられる可動ルーバー、３４は排気エルボである。
【００２３】
浴室暖房乾燥機本体２の機器ケーシング２５の上部にはミストボックス３２（図１）が設けられている。ミストボックス３２には、ミスト用給水管路２０の一部が配管されており、ミスト用給水管路２０の途中には後述のミスト用熱交換器１１が配置されている。ミスト用熱交換器１１よりも上流側は、給水電磁弁２２及びストレーナ２３を介して、外部の水道管に接続されている。
【００２４】
ミスト用給水管路２０のミスト用熱交換器１１よりも下流側の部分は浴室暖房乾燥機本体２の機器ケーシング２５内に配管されていると共に、機器ケーシング２５内に設置される第１及び第２ノズル開閉弁２９ａ，２９ｂを介して、ミスト用水を噴霧するミストノズル１０に接続されている（図２では、ノズル開閉弁２９ａ，２９ｂの記載を省略している）。これらミスト用給水管路２０と、ミストボックス３２のミスト用熱交換器１１及び給水電磁弁２２と、機器ケーシング２５内のノズル開閉弁２９ａ，２９ｂ及びミストノズル１０とで、ミスト噴霧装置３が構成されている。
【００２５】
上記ミストボックス３２内部には、上記温水循環管路１６から分岐されたミスト加熱用管路１９の一部が配管されていると共に、ミスト加熱用管路１９からミスト用熱交換器１１に供給される水温が適切になったときに温水の出湯量の調節を行う水比例弁１２と、ミスト用熱交換器１１からの循環温水の戻り温度を検知するための温水戻り温度センサー２１とが設置されている。さらにミスト用熱交換器１１から吐出する水の温度を検知するためのミスト温度センサー１８が設置されている。
【００２６】
上記ミストボックス３２内部に収納されるミスト用熱交換器１１は、例えば複数枚の伝熱プレートを積層したプレート式の液−液熱交換器で構成されている。ミスト用熱交換器１１の一次側には上記温水循環管路１６にバイパス接続されたミスト加熱用管路１９が接続され、二次側にはミスト用給水管路２０が接続され、ミスト加熱用管路１９に配置した水比例弁１２を開くことで、ミスト用熱交換器１１の一次側に温水が供給され、これにより二次側を通過するミスト用水が加熱されるようになっている。
【００２７】
一方、機器ケーシング２５に設置されるミストノズル１０は、機器ケーシング２５のグリル板２５ａに設けた開口部２５ｃ（図３）に嵌め込まれる前パネル２５ｂのノズル用開口孔から浴室１３内に臨んで配置されている。本例ではミストノズル１０は３個設けられ、例えば、ノズル開閉弁２９ａ側の１個のミストノズル１０ａは、マイルドなミストサウナ（ミスト噴霧量が例えば０．５リットル／ｍｉｎ）を得るためのものであり、ノズル開閉弁２９ｂ側の２個のミストノズル１０ｂ，１０ｃはハードなミストサウナ（ミスト噴霧量が例えば１．０リットル／ｍｉｎ）を得るためのものである。
【００２８】
ここで本発明においては、ミスト用熱交換器１１とノズル開閉弁２９ａ，２９ｂとの間に、ミスト切替ユニットが設けられている。ミスト切替ユニットは、冷却用のミスト切替弁２９ｃと冷却用給水管路２０ｃとが直列接続された冷却用ユニットと、非冷却用のミスト切替弁２９ｈと非冷却用給水管路２０ｈとが直列接続された非冷却用ユニットとが、並列接続されている。冷却用のミスト切替弁２９ｃを開き、非冷却用のミスト切替弁２９ｈを閉じると、ミスト用熱交換器１１からのミスト用水は分岐点５１から冷却用給水管路２０ｃのみを通って合流点５２からミストユニット連絡管２０ｒ（図２の破線部分）へ供給されるようになり、逆に、冷却用のミスト切替弁２９ｃを閉じ、非冷却用のミスト切替弁２９ｈを開くと、ミスト用熱交換器１１からのミスト用水は分岐点５１から非冷却用給水管路２０ｈのみを通って合流点５２からミストユニット連絡管２０ｒへ供給されるようになっている。ミストユニット連絡管２０ｒは、ノズル開閉弁２９ａ，２９ｂに接続されている（図２では、ノズル開閉弁２９ａ，２９ｂの記載を省略している）。
【００２９】
ここで、上記冷却用給水管路２０ｃは、機器ケーシング２５の通風経路に臨む位置に配置されている。本例では、循環用ファン５がＯＮとなり、空気吹出口３０を経由して浴室１３に送風されたときに空気吸込口３３を経由して吸い込まれる浴室１３内の空気と接するように、暖房用熱交換器７に流入する経路に臨ませてループ状に配置されている。
【００３０】
上記非冷却用給水管路２０ｈは、機器ケーシング２５の通風経路から熱的に遮蔽された位置に配置されている。本例では、循環用ファン５がＯＮとなり、空気吹出口３０を経由して浴室１３に送風されたときに空気吸込口３３を経由して吸い込まれる浴室１３内の空気と接しないように、暖房用熱交換器７に流入する経路から離して配置されている。
【００３１】
上記ミストユニット連絡管２０ｒは、上記非冷却用給水管路２０ｈと同様、循環用ファン５がＯＮとなり、空気吹出口３０を経由して浴室１３に送風されたときに空気吸込口３３を経由して吸い込まれる浴室１３内の空気と接しないように、暖房用熱交換器７に流入する通風経路から離して配置されている。
【００３２】
浴室１３内部の温度及び噴霧されるミスト温度は、制御部４により制御される。制御部４は、図５に示すように、リモコン操作部１５から指令されるリモコン信号以外に、浴室温度センサー９、温水往き温度センサー１７、ミスト温度センサー１８、温水戻り温度センサー２１からの各検知信号を受信すると共に、各検知結果に基づいて浴室暖房乾燥機本体２及びミスト噴霧装置３の各構成部品を駆動制御するマイクロコンピュータにより構成される。
【００３３】
上記制御部４は、ミスト運転開始時に温水戻り温度監視制御を実行する温水戻り温度監視部６を備えている。温水戻り温度監視部６は、ミスト用熱交換器１１からの温水戻り温度をサーミスタ等からなる温水戻り温度センサー２１で監視すると共に、この監視結果に基づき、温水戻り温度が所定温度以上であることを所定時間以上継続したことを判定した後にミスト噴霧を開始するための加熱殺菌シーケンスを具備している。ここにおいて所定温度とは例えば７０℃、所定時間とは例えば３０秒とされるが、勿論この数値に限定されるものではなく、ミスト用熱交換器１１内部を加熱殺菌できる範囲内で適宜設定変更自在である。
【００３４】
次に、温水ミスト運転制御の一例を、図６、図７（ａ）（ｂ）を参照して説明する。なお図７（ａ）、（ｂ）において、各弁８、１２、２２、２９ｃ、２９ｈ、２９ａ、２９ｂ等の開いた状態を白色で表し、閉じた状態を黒色で表している。
【００３５】
リモコン操作部１５の温水ミスト運転スイッチを押すと制御部４にミストサウナ運転開始を指令する信号が送られる。このとき、温水ミスト運転または水ミスト運転停止状態が第２所定時間（例えば２４時間）未満であれば浴室温度センサー９により浴室温度が２５℃以上であることを検出（図６のステップｎ５）した後ただちに、温水ミスト運転を開始する。（図６において、後述するステップｎ４の判定は行わずスキップされ、後述のｎ１、ｎ２、ｎ３の処理の後ただちに後述のｎ５の判定処理を行い、後述のｎ６、ｎ７の処理を行う）。
【００３６】
一方、ミスト運転停止状態が第２所定時間（例えば２４時間）以上の場合は、温水ミスト運転用の温水戻り温度監視制御（加熱殺菌シーケンス）を実行する。
【００３７】
温水ミスト運転用の温水戻り温度監視制御は、先ず、温水供給用の熱源機１４（図４）に運転信号を出し、熱源機１４が暖房運転を開始する。次いで、温風側の熱動弁８、ミスト側の水比例弁１２がそれぞれ開き、８０℃の循環温水が温水循環管路１６内及びミスト加熱用管路１９内を循環し始める（図６のステップｎ１）。次いで、温水往き温度が６０℃以上になると、循環用ファン５がＯＮとなり、浴室１３に温風を送る浴室暖房運転を実行する（図６のステップｎ２→ｎ３、図７（ａ）の状態）。この段階ではミスト噴霧は開始されない。
【００３８】
その後、温水戻り温度センサー２１で、ミスト用熱交換器１１からの温水戻り温度が７０℃以上を検出したときにタイマー計時を行ない、７０℃以上が３０秒以上経過すると、ミスト用熱交換器１１の加熱を終了する（図６のステップｎ４→ｎ５）。これにより、以下の表１に基づき、ミスト用熱交換器１１を７０℃以上で５秒間以上に加熱殺菌したことが保証される。その後、浴室温度が２５℃以上になると給水手段を構成する給水電磁弁２２及び非冷却用のミスト切替弁２９ｈを開くと共に、ノズル開閉弁２９ａ，２９ｂの両方又は一方を開いて、温水ミスト噴霧を開始する（図６のステップｎ６→ｎ７、図７（ｂ）の状態）。ただし、温水戻り温度監視制御において「７０℃以上で且つ３０秒以上経過」であるとの判定が終了しない限り、ミスト噴霧は開始されない。
【００３９】
以下の表１は、温水戻り温度が７０℃に達したときから５秒〜６０秒後の各部の温度データを示したものである。試験条件として給水温度を１７℃、水圧を０．２ＭＰａ、外気温を２０℃とした。
【００４０】
【表１】
0005551949.tif 000002
上記の表1によれば、ミスト用熱交換器１１からの温水戻り温度が、７０℃に到達した後、３０秒以上経過した場合に、ミスト用熱交換器１１の内面温度が７２．０℃以上で３０秒間に加熱されたこととなり、レジオネラ菌が死滅すると考えられる。
【００４１】
ここで、非冷却用給水管路２０ｈ及びミストユニット連絡管２０ｒは、それぞれ、循環用ファン５がＯＮとなり空気吹出口３０を経由して浴室１３に送風されたときに空気吸込口３３を経由して吸い込まれる浴室１３内の空気が暖房用熱交換器７に流入する経路から離して配置されているから、温水ミスト運転時においては、ミスト用熱交換器１１からミストノズル１０に供給される温水が浴室１３内の空気により冷却されることがない。
【００４２】
次に、水ミスト運転制御の一例を、図８、図９、図１０を参照して説明する。なお図９（ａ）、（ｂ）、図１０において、各弁８、１２、２２、２９ｃ、２９ｈ、２９ａ、２９ｂ等の開いた状態を白色で表し、閉じた状態を黒色で表している。
【００４３】
リモコン操作部１５の水ミスト運転スイッチを押すと制御部４に水ミスト運転開始を指令する信号が送られる。このとき、温水ミスト運転または水ミスト運転停止状態が第２所定時間（例えば２４時間）未満であればただちにミスト噴霧を開始可能とする（図８のステップｎ１２、ｎ１３→ｎ１１）。
【００４４】
一方、ミスト運転停止状態が第２所定時間（例えば２４時間）以上の場合は、水ミスト運転用の温水戻り温度監視制御（加熱殺菌シーケンス）を実行する。
【００４５】
水ミスト運転用の温水戻り温度監視制御は、先ず、温水供給用の熱源機１４（図４）に運転信号を出し、熱源機１４が暖房運転を開始し、次いで、ミスト側の水比例弁１２が開き、ミスト加熱用管路１９内を８０℃の循環温水が循環し始める（図８のステップｎ１→ｎ２→ｎ３）。このとき温風側の熱動弁８を閉じた状態にする点で、温水ミスト運転開始時の加熱殺菌シーケンスとは異なる。
【００４６】
そして、温風側の熱動弁８が閉じた状態、つまり８０℃の循環温水が暖房用熱交換器７には供給されていない状態で、循環用ファン５がＯＮとなり、浴室１３内の空気を循環させる（図８のステップｎ４）。このとき、８０℃の循環温水が暖房用熱交換器７には供給されていないので浴室１３は暖房されず、浴室１３内の空気が循環するだけの送風運転が実行されている（図９（ａ）の状態）。この点で温水ミスト運転開始時の加熱殺菌シーケンスとは異なる。
【００４７】
その後、温水戻り温度センサー２１が、ミスト用熱交換器１１を循環する温水戻り温度が７０℃以上を検出するとタイマー計時を行ない、３０秒以上経過すると、ミスト用熱交換器１１の加熱を終了する（図８のステップｎ５→ｎ６）。この加熱終了は、温水ミスト運転開始時の加熱終了と同じであり、上記の表１に基づき、ミスト用熱交換器１１を７０℃以上で５秒間以上に加熱殺菌したことが保証される。
【００４８】
この水ミスト運転時の温水戻り温度監視制御では、加熱殺菌後にミスト側の水比例弁１２を閉じ、８０℃の循環温水のミスト加熱用管路１９内での循環を停止させるものであり、この点で、温水ミスト運転開始時の加熱殺菌シーケンスとは異なる。
【００４９】
そして、ミスト加熱用管路１９内での温水循環が停止すると、給水手段を構成する給水電磁弁２２を開き、非冷却用のミスト切替弁２９ｈを閉じ、冷却用のミスト切替弁２９ｃを開くと共に、ノズル開閉弁２９ａ，２９ｂの両方又は一方を開いて、水ミスト噴霧を開始する（図８のステップｎ７→ｎ８、図９（ｂ）の状態）。ただし、温水ミスト運転開始時の場合と同様に、温水戻り温度監視制御において「７０℃以上で且つ３０秒以上経過」であるとの判定が終了しない限り、ミスト噴霧は開始されない。つまり、水ミスト運転を行う場合も、上記表1によれば、ミスト用熱交換器１１からの温水戻り温度が、７０℃に到達して後、３０秒以上経過した場合に、ミスト用熱交換器１１の内面温度が７２．０℃以上で３０秒間に加熱されたこととなり、レジオネラ菌が死滅すると考えられる。
【００５０】
そして、温水戻り温度監視制御を終了した後は、ミスト用熱交換器１１からのミスト用水は冷却用のミスト切替弁２９ｃから冷却用給水管路２０ｃを経由して冷やされ、その後ノズル開閉弁２９ａ，２９ｂの両方又は一方を経由して噴霧が開始されることになる。
【００５１】
このとき、冷却用給水管路２０ｃは、循環用ファン５がＯＮとなり、空気吹出口３０を経由して浴室１３に送風されたときに空気吸込口３３を経由して吸い込まれる浴室１３内の空気が暖房用熱交換器７に流入する経路に配置されているから、加熱殺菌直後のミスト用熱交換器１１の加熱状態がしばらく続いても、ミスト用熱交換器１１からの温水は冷却用給水管路２０ｃを通過する間に、空気吸込口３３を経由して吸い込まれる浴室１３内の空気により冷却されることになる。したがって、加熱殺菌直後のミスト用熱交換器１１からの温水がそのままミストノズル１０から噴霧されてしまうという不都合は生じない。
【００５２】
また本例では、水ミスト噴霧を開始してから第３所定時間が経過した後は、ミスト温度センサー１８による検出温度に基づき冷却用のミスト切替弁２９ｃ及び非冷却用のミスト切替弁２９ｈの開閉を以下のように制御する。
【００５３】
つまり、水ミスト運転開始から第３所定時間（例えば２５秒）が経過し（図８のステップｎ９）、更にミスト温度センサー１８の検出温度が予め定めた供給経路切り替え用設定温度（例えば２５℃）以下を検出したときは（図８のステップｎ１０）、冷却用のミスト切替弁２９ｃを閉じて、非冷却用のミスト切替弁２９ｈを開き（図８のステップｎ１１）、ミスト用水を冷却用給水管路２０ｃを経由させず、非冷却用給水管路２０ｈを経由せるようにしている（図１０の状態）。
【００５４】
このようにすることで、ミスト用熱交換器１１からのミスト用水の温度より浴室１３内の温度の方が高い（暖かい）状態に至った場合にも、十分に温度が低下したミスト用熱交換器１１を通過したミスト用水が冷却用給水管路２０ｃを通過する間に、空気吸込口３３を経由して吸い込まれる浴室１３内の空気により加熱されてしまうことによる水ミスト噴霧温度の上昇を防止している。
【００５５】
すなわち、非冷却用給水管路２０ｈ及びミストユニット連絡管２０ｒは、循環用ファン５がＯＮとなり空気吹出口３０を経由して浴室１３に送風されたときに空気吸込口３３を経由して吸い込まれる浴室１３内の空気が暖房用熱交換器７に流入する経路から離して配置されているから、水ミスト運転開始から所定時間経過してミスト用熱交換器１１からのミスト用水の温度より浴室１３内の温度の方が高い（暖かい）状態に至った場合にも、ミスト用水が浴室１３内の空気により暖められることがない。
【００５６】
上記構成によれば、水ミスト運転の開始時に、ミスト用熱交換器１１内部の加熱殺菌を実行しても、加熱殺菌直後のミスト用熱交換器１１からの温水がミストノズル１０から噴霧されてしまうという不都合が生じない。従って、水ミスト運転ミスッチのＯＮ操作から低温の水ミストが噴霧するまでに時間がかからず、特に夏場などの気温が高い時候において、給水手段からの低温水を直接、ミストノズル１０から噴霧することで浴室内において涼を求める水ミスト運転を行いたいという要望に即座に応えられるものとなる。そのうえ、ミスト噴霧装置３を浴室１３に設置する際に、予備排水のための配管を設置する必要がなく、ミスト噴霧装置３の設計上の制約がなくなると共に、予備排水による無駄な水の廃棄をなくすことができる利点もある。
【００５７】
さらに本例では、水ミスト運転においてミスト噴霧を開始して第３所定時間（例えば２５秒）が経過し、ミスト温度センサー１８の検出温度が供給経路切り替え用設定温度（例えば２５℃）以下を検出したときに非冷却用のミスト切替弁２９ｈを開いて、ミスト用水を非冷却用給水管路２０ｈを経由させることで、浴室１３内の空気によるミスト温度上昇を防止しているが、他の例として、第３所定時間（例えば２５秒）が経過し且つ供給経路切り替え用設定温度（例えば２５℃）以下となったときに、冷却用のミスト切替弁２９ｃを開い状態をそのまま継続し、循環用ファン５をＯＦＦにしてもよいものであり、この場合、空気吸込口３３を経由して吸い込まれる浴室１３内の空気により冷却用給水管路２０ｃが加熱されてしまうことによる水ミスト噴霧温度の上昇を防止することが可能となる。
【００５８】
上述の実施例においては、水ミスト運転開始時には前記冷却用給水管路２０ｃを選択し、運転開始時から所定時間経過後にミスト温度センサー１８からの検出温度が予め定めた設定温度以下になった時点で前記冷却用給水管路２０ｃから前記非冷却用給水管路２０ｈに切り替える場合の予め定めた設定温度を例えば２５℃とする場合を示したが、予め定めた設定温度として固定値の２５℃を用いるのではなく、固定値の２５℃に代えて循環用ファン５を駆動したときに浴室温度センサー９により検出される浴室温度を予め定めた設定温度として用いても良いものである。
【符号の説明】
【００５９】
１  浴室暖房乾燥機
２  浴室暖房乾燥機本体
３  ミスト噴霧装置
４  制御部
５  循環用ファン
６  温水戻り温度監視部
７  暖房用熱交換器
８  熱動弁
１０  ミストノズル
１１  ミスト用熱交換器
１２  水比例弁
１３  浴室
１４  熱源機
１８  ミスト温度センサー
２０  ミスト用給水管路
２０ｃ  冷却用給水管路
２０ｈ  非冷却用給水管路
２５  機器ケーシング
３０  空気吹出口
３３  空気吸込口
【図１】
0005551949.tif 000003
【図２】
0005551949.tif 000004
【図３】
0005551949.tif 000005
【図４】
0005551949.tif 000006
【図５】
0005551949.tif 000007
【図６】
0005551949.tif 000008
【図７】
0005551949.tif 000009
【図８】
0005551949.tif 000010
【図９】
0005551949.tif 000011
【図１０】
0005551949.tif 000012